(57)【特許請求の範囲】
【請求項１】
共通伝送線対を複数に分岐し、分岐した各分岐伝送線対に設けられたトランスを介して、複数の内のいずれか１つの伝送線終端回路と共通伝送線対の接続装置との間で、伝送信号を授受する伝送線収容回路において、
上記複数のトランスの内、一部のトランスの１次側に、そのトランスを介した伝送を阻止制御する第１のスイッチ手段と、
上記第１のスイッチ手段を１次側に有さない上記複数のトランスの２次側に、そのトランスを介した伝送を阻止制御する第２のスイッチ手段とを有し、
上記各分岐伝送線対は、上記複数のトランスの１次側が互いに並列に接続されるように、上記共通伝送線対から分岐されており、
上記各第１のスイッチ手段は、相対的に高周波の伝送信号を授受する対応するトランスに接続された上記分岐伝送線対の伝送経路を開放制御する
ことを特徴とする伝送線収容回路。
【請求項２】
上記相対的に高周波の伝送信号は、ＩＳＤＮディジタル信号であることを特徴とする請求項１に記載の伝送線収容回路。
【請求項３】
共通伝送線対を複数に分岐し、分岐した各分岐伝送線対に設けられたトランスを介して、複数の内のいずれか１つの伝送線終端回路と共通伝送線対の接続装置との間で、伝送信号を授受する伝送線収容回路において、
上記複数のトランスの内、一部のトランスの１次側に、そのトランスを介した伝送を阻止制御する第１のスイッチ手段と、
上記第１のスイッチ手段を１次側に有さない上記複数のトランスの２次側に、そのトランスを介した伝送を阻止制御する第２のスイッチ手段とを有し、
上記各分岐伝送線対は、上記複数のトランスの１次側が互いに直列に接続されるように、上記共通伝送線対から分岐されている
ことを特徴とする伝送線収容回路。
【請求項４】
上記各第１のスイッチ手段は、相対的に低周波の伝送信号を授受する対応するトランスに接続された上記分岐伝送線対間を短絡制御することを特徴とする請求項３に記載の伝送線収容回路。
【請求項５】
上記相対的に低周波の伝送信号は、音声アナログ信号であることを特徴とする請求項４に記載の伝送線収容回路。
【請求項６】
上記各第２のスイッチ手段は、対応するトランスに接続された伝送線終端回路側の終端伝送線対の伝送経路を開放制御することを特徴とする請求項１〜５のいずれかに記載の伝送線収容回路。
【請求項７】
上記各第２のスイッチ手段は、対応するトランスに接続された伝送線終端回路側の終端伝送線対間を短絡制御することを特徴とする請求項１〜５のいずれかに記載の伝送線収容回路。
【発明の詳細な説明】
【０００１】
【発明の属する技術分野】
本発明は伝送線収容回路に関し、例えば、音声アナログ信号とＩＳＤＮディジタル信号の双方を伝送する伝送線を収容する伝送線収容回路に適用して好適なものである。
【０００２】
【従来の技術】
文献１：『特開平９−８３６１３号公報』
ＩＳＤＮ（ Integrated Services Digital Network：サービス統合ディジタル網）は、電気通信網をディジタル信号で統合化し、多目的に使用可能なインターフェースを用いて、音声、データ、画像等の各種サービスを総合的に提供するものである。
【０００３】
このＩＳＤＮの構築方法としては、一般的に、既存の通信網とは別に新たに通信網を構築するのではなく、既に広範囲に構築されている電話網を利用して、この電話網の加入者線（伝送線）を収容する回路（なお、以下、電話網に限定することなく、複数の伝送線を収容する回路を「伝送線収容回路」という）に、ＩＳＤＮのディジタル信号を授受できる機能を付加して構築する方法がとられている。
【０００４】
例えば、ＩＳＤＮのディジタル信号を授受できる機能を付加した従来の伝送線収容回路としては、上記文献１に開示されたものがあり、図２はその説明図である。
【０００５】
図２に示すように、従来の伝送線収容回路には、加入者線６−１〜６−ｎ毎に設けられ、アナログ電話機からの音声アナログ信号（100〜10kHz）を授受する加入者回路１−１〜１−ｎと、ＩＳＤＮのディジタル信号（100〜 1MHz）を授受するＩＳＤＮディジタル加入者回路２と、ＩＳＤＮディジタル信号を授受する場合にディジタル加入者回路２と加入者線６−１〜６−ｎとを接続する接続回路３とが設けられている。
【０００６】
なお、この信号の授受に用いられるトランスには、授受する信号の周波数帯域等に対して適当な特性を有する（例えば、授受する信号の周波数帯域に対して適当なリアクタンス値を有する）ものが適用される。
【０００７】
【発明が解決しようとする課題】
しかしながら、前述した音声アナログ信号とＩＳＤＮディジタル信号の双方を伝送する伝送線を収容する伝送線収容回路には、以下のような課題があった。
【０００８】
まず、図３に示すように、信号の授受を保護する保護回路（過電圧・過電流保護回路、直流阻止キャパシタ、外来雑音除去回路（例えばＣＭＣ（ Common Mode Choke））等）も含めて切り替える場合には、これらの構成部分を重複して設けると共に、接続を切り替えるスイッチに高耐圧やフローティング特性などの高価なものを用いる必要があり、回路が大型及び高価格になるという課題があった。
【０００９】
また、図４に示すように、接続を切り替えるスイッチを削除して、保護回路を（可能な部分）共通にした場合には、信号を授受しないトランスの伝送線側のインピーダンスが、信号を授受するトランスの伝送線側のインピーダンスに比べて小さいとき、信号電流が信号を授受しないトランスに多く流れ、信号の授受が困難になるという課題があった。
【００１０】
さらに、図５に示すように、保護回路を（可能な部分）共通にして、信号を授受するトランスだけを切り替える場合には、前述したように、接続を切り替えるスイッチに高耐圧やフローティング特性などの高価なものを用いる必要があり、回路が高価格になるという課題があった。
【００１１】
また、前述した課題の説明では、音声アナログ信号とＩＳＤＮディジタル信号の双方を伝送する伝送線を収容する伝送線収容回路に基づいて説明したが、一般的に複数の信号を伝送する伝送線を収容する伝送線収容回路にも同様な課題を有する。
【００１２】
そのため、複数の信号を伝送する伝送線を収容する小型で低価格な伝送線収容回路が求められていた。
【００１３】
【課題を解決するための手段】
かかる課題を解決するため、第１の本発明は、共通伝送線対を複数に分岐し、分岐した各分岐伝送線対に設けられたトランスを介して、複数の内のいずれか１つの伝送線終端回路と共通伝送線対の接続装置との間で、伝送信号を授受する伝送線収容回路において、（１）複数のトランスの内、一部のトランスの１次側に、そのトランスを介した伝送を阻止制御する第１のスイッチ手段と、（２）第１のスイッチ手段を１次側に有さない複数のトランスの２次側に、そのトランスを介した伝送を阻止制御する第２のスイッチ手段とを有し、（３）各分岐伝送線対は、複数のトランスの１次側が互いに並列に接続されるように、上記共通伝送線対から分岐されており、（４）各第１のスイッチ手段は、相対的に高周波の伝送信号を授受する対応するトランスに接続された上記分岐伝送線対の伝送経路を開放制御することを特徴とする。また、第２の本発明は、共通伝送線対を複数に分岐し、分岐した各分岐伝送線対に設けられたトランスを介して、複数の内のいずれか１つの伝送線終端回路と共通伝送線対の接続装置との間で、伝送信号を授受する伝送線収容回路において、（１）複数のトランスの内、一部のトランスの１次側に、そのトランスを介した伝送を阻止制御する第１のスイッチ手段と、（２）第１のスイッチ手段を１次側に有さない複数のトランスの２次側に、そのトランスを介した伝送を阻止制御する第２のスイッチ手段とを有し、（３）各分岐伝送線対は、複数のトランスの１次側が互いに直列に接続されるように、共通伝送線対から分岐されていることを特徴とする。
【００１４】
【発明の実施の形態】
（Ａ）  第１の実施形態
以下、本発明による伝送線収容回路を、周波数の異なる２種類の信号を伝送する伝送線を収容する伝送線収容回路に適用した第１の実施形態について、図面を参照しながら詳述する。
【００１５】
（Ａ−１）  構成の説明
図１は、第１の実施形態の伝送線収容回路の構成を示すブロック図である。図１において、この実施形態の伝送線収容回路は、トランスＡ及びＢと、スイッチＳＷ１及びＳＷ２と、保護回路ＰＴと、端子Ｔ１〜Ｔ６とを有する。
【００１６】
まず、各構成要素の対応接続関係について説明する。端子Ｔ１は保護回路ＰＴを介して接続点Ｃ１に接続され、端子Ｔ２は保護回路ＰＴを介して接続点Ｃ２に接続される。また、トランスＡの１次巻線の一端は接続点Ｃ１に接続され、その１次巻線の他端は接続点Ｃ２に接続される。トランスＢの１次巻線の一端はスイッチＳＷ２を介して接続点Ｃ１に接続され、その１次巻線の他端は接続点Ｃ２に接続される。さらに、トランスＡの２次巻線の一端はスイッチＳＷ１を介して端子Ｔ３に接続され、その２次巻線の他端は端子Ｔ４に接続される。トランスＢの２次巻線の一端は端子Ｔ５に接続され、その２次巻線の他端は端子Ｔ６に接続される。
【００１７】
なお、図示は省略するが、端子Ｔ１及びＴ２間には伝送線を介して加入者端末が接続され、端子Ｔ３及びＴ４間には２種類の信号の内の一方を終端する第１の終端回路が接続され、端子Ｔ５及びＴ６間にはその他方を終端する第２の終端回路が接続されている。
【００１８】
次に、各構成要素について説明する。
【００１９】
トランスＡ及びＢはそれぞれ、１次巻線に与えられた信号の電流又は電圧の変化を、相互誘導作用により１次巻線と絶縁された状態で２次巻線に誘導するものである。また、２次巻線に与えられた信号の電流又は電圧の変化を、相互誘導作用により２次巻線と絶縁された状態で１次巻線に誘導するものである。ここで、トランスＡは、端子Ｔ３及びＴ４間に接続される第１の終端回路で授受する信号の周波数帯域に適する特性を有するもの（例えば、１次巻線と２次巻線に適当なリアクタンスを有するもの）であり、また、トランスＢも、端子Ｔ５及びＴ６間に接続される第２の終端回路で授受する信号の周波数帯域に適する特性を有するものである。
【００２０】
保護回路ＰＴは、端子Ｔ１及びＴ２に過電圧及び又は過電流が印加された場合にトランスＡ及び又はＢが破壊されることを防止する過電圧・過電流保護回路や、端子Ｔ１及びＴ２からの直流電流を阻止する直流阻止キャパシタ、端子Ｔ１及びＴ２に与えられた信号から雑音を除去する外来雑音除去回路などを有するものである。
【００２１】
スイッチＳＷ１は、トランスＡを介して信号を授受しない場合に、トランスＡの２次巻線の一端と端子Ｔ３との間を不導通の状態にし、端子Ｔ３及びＴ４に与えられた信号をトランスＡの２次巻線に与えない、かつ、トランスＡの２次巻線に誘導された信号を端子Ｔ３及びＴ４に与えないものである。また、トランスＡを介して信号を授受する場合には、トランスＡの一端と端子Ｔ３とを導通の状態にし、端子Ｔ３及びＴ４に与えられた信号をトランスＡの２次巻線に与え、かつ、トランスＡの２次巻線に誘導された信号を端子Ｔ３及びＴ４に与えるものである。
【００２２】
スイッチＳＷ２は、トランスＡを介して信号を授受する場合に、トランスＢの１次巻線の一端と接続点Ｃ１との間を不導通の状態にし、端子Ｔ１及びＴ２に与えられた信号電流の一部分がトランスＢの一次側に流れて、トランスＡの一次側に流れる信号電流を減少させ、トランスＡを介して信号の授受ができなくなることを防止するものである。また、トランスＢを介して信号を授受する場合には、トランスＢの１次巻線の一端と接続点Ｃ１との間を導通の状態にし、端子Ｔ１及びＴ２に与えられた信号をトランスＢの１次巻線に与え、及び、トランスＢの１次巻線に誘導された信号を端子Ｔ１及びＴ２に与えるようにするものである。
【００２３】
なお、この実施形態では、トランスＢを介して信号を授受する場合、端子Ｔ１及びＴ２に与えられた信号電流の一部分がトランスＡの１次巻線にも流れるが、トランスＢの１次巻線のインピーダンスはトランスＡの１次巻線のインピーダンスよりも小さく、トランスＢを介して信号の授受ができるように、端子Ｔ１及びＴ２に与えられた信号電流がトランスＢの一次側に十分に流れるものとする。
【００２４】
（Ａ−２）  動作の説明
以上のような構成を有する伝送線収容回路の動作を、トランスＡを介して信号を授受する場合とトランスＢを介して信号を授受する場合とについて、図１を参照しながら説明する。
【００２５】
まず、トランスＡを介して信号を授受する場合について説明する。
【００２６】
この場合、スイッチＳＷ１の両端は導通であり、スイッチＳＷ２の両端は不導通である。
【００２７】
端子Ｔ１及びＴ２に与えられた加入者端末からの信号は、保護回路ＰＴを介してトランスＡの１次巻線に与えられ、この１次巻線に与えられた信号の電流又は電圧の変化が２次巻線に誘導されて、端子Ｔ３及びＴ４間に接続された第１の終端回路に与えられることになる。
【００２８】
ここで、スイッチＳＷ２が不導通であるので、端子Ｔ１及びＴ２に与えられた信号電流の一部分がトランスＢの１次巻線に流れて、トランスＡの１次巻線に流れる信号電流を減少させ、トランスＡを介して信号の授受ができなくなることを防止することができる。
【００２９】
一方、端子Ｔ３及びＴ４に与えられた第１の終端回路からの信号は、トランスＡの２次巻線に与えられ、この２次巻線に与えられた信号の電流又は電圧の変化が１次巻線に誘導されて、端子Ｔ１及びＴ２間に接続された加入者端末に与えられることになる。
【００３０】
次に、トランスＢを介して信号を授受する場合について説明する。
【００３１】
この場合、スイッチＳＷ１の両端は不導通であり、スイッチＳＷ２の両端は導通である。
【００３２】
端子Ｔ１及びＴ２に与えられた加入者端末からの信号は、保護回路ＰＴを介してトランスＢの１次巻線に与えられ、この１次巻線に与えられた信号の電流又は電圧の変化が２次巻線に誘導されて、端子Ｔ５及びＴ６間に接続された第２の終端回路に与えられることになる。
【００３３】
ここで、スイッチＳＷ２が導通であるので、端子Ｔ１及びＴ２に与えられた信号電流がトランスＢの１次巻線にも流れるが、トランスＢの１次巻線のインピーダンスはトランスＡの１次巻線のインピーダンスよりも小さく、トランスＢを介して信号の授受ができるのに十分な信号電流がトランスＢの一次側に流れるようになされている。
【００３４】
一方、端子Ｔ５及びＴ６に与えられた第２の終端回路からの信号は、トランスＢの２次巻線に与えられ、この２次巻線に与えられた信号の電流又は電圧の変化が１次巻線に誘導されて、端子Ｔ１及びＴ２間に接続された加入者端末に与えられることになる。
【００３５】
なお、スイッチＳＷ１は不導通であるので、トランスＡの２次巻線に誘導される信号は、端子Ｔ３及びＴ４に接続される第１の終端回路には与えられない。
【００３６】
（Ａ−３）  効果の説明
以上のように、第１の実施形態によれば、（１）端子Ｔ１及びＴ２に対して１次巻線が互いに並列に接続され、１次巻線又は２次巻線に与えられた信号を２次巻線又は１次巻線に誘導するトランスＡ及びＢと、（２）トランスＡを介して信号を授受する場合に、端子Ｔ１及びＴ２に与えられた信号電流がトランスＢの１次巻線に流れて、トランスＡの１次巻線に流れる信号電流を減少させ、トランスＡを介して信号の授受ができなくなることを防止するスイッチＳＷ２と、（３）トランスＢを介して信号を授受する場合に、トランスＡの２次側に誘導された信号を端子Ｔ３及びＴ４に与えないスイッチＳＷ１とを有するので、保護回路ＰＴを信号の種類に関係なく共通にできると共に、伝送線側に設けないスイッチＳＷ１に高耐圧やフローティング特性などを有さない低価格なものを用いることができ、回路が小型及び低価格になる。
【００３７】
（Ｂ）  第２の実施形態
以下、本発明による伝送線収容回路を、周波数の異なる２種類の信号を伝送する伝送線を収容する伝送線収容回路に適用した第２の実施形態について、図面を参照しながら詳述する。
【００３８】
（Ｂ−１）  構成の説明
図６は、第２の実施形態の伝送線収容回路の構成を示すブロック図である。図６において、この実施形態の伝送線収容回路は、トランスＡ及びＢと、スイッチＳＷ１及びＳＷ２と、保護回路ＰＴと、端子Ｔ１〜Ｔ６とを有する。
【００３９】
まず、各構成要素の対応接続関係について説明する。端子Ｔ１は保護回路ＰＴを介してトランスＡの１次巻線の一端に接続され、端子Ｔ２は保護回路ＰＴを介してトランスＢの１次巻線の他端に接続され、トランスＡの１次巻線の他端はトランスＢの１次巻線の一端に接続される。また、トランスＡの２次巻線の一端は端子Ｔ３に接続され、その２次巻線の他端は端子Ｔ４に接続される。トランスＢの２次巻線の一端は端子Ｔ５に接続され、その２次巻線の他端は端子Ｔ６に接続される。さらに、トランスＡの２次巻線の一端及び他端間にはスイッチＳＷ１が接続され、トランスＢの２次巻線の一端及び他端間にはスイッチＳＷ２が接続される。
【００４０】
なお、図示は省略するが、端子Ｔ１及びＴ２間には伝送線を介して加入者端末が接続され、端子Ｔ３及びＴ４間には２種類の信号の内の一方を終端する第１の終端回路が接続され、端子Ｔ５及びＴ６間にはその他方を終端する第２の終端回路が接続されている。
【００４１】
次に、各構成要素について説明する。なお、トランスＡ及びＢと保護回路ＰＴとについては、第１の実施形態の同一符号のものと同様であるので、説明は省略する。従って、以下、スイッチＳＷ１及びＳＷ２について説明する。
【００４２】
スイッチＳＷ１は、トランスＡを介して信号を授受しない場合に、トランスＡの２次巻線の一端と他端との間を導通の状態にし、端子Ｔ３及びＴ４に与えられた信号をトランスＡの２次巻線に与えない、かつ、トランスＡの２次巻線に誘導された信号を端子Ｔ３及びＴ４に与えないものである。また、トランスＡを介して信号を授受する場合には、トランスＡの一端と他端との間を不導通の状態にし、端子Ｔ３及びＴ４に与えられた信号をトランスＡの２次巻線に与え、かつ、トランスＡの２次巻線に誘導された信号を端子Ｔ３及びＴ４に与えるものである。
【００４３】
スイッチＳＷ２は、トランスＡを介して信号を授受する場合に、トランスＢの１次巻線の一端と他端との間を導通の状態にし、端子Ｔ１及びＴ２に与えられた信号電圧の一部分がトランスＢの一次側に印加されて、トランスＡの一次側に印加される信号電圧を減少させ、トランスＡを介して信号の授受ができなくなることを防止するものである。また、トランスＢを介して信号を授受する場合には、トランスＢの１次巻線の一端と他端との間を不導通の状態にし、端子Ｔ１及びＴ２に与えられた信号をトランスＢの１次巻線に与え、及び、トランスＢの１次巻線に誘導された信号を端子Ｔ１及びＴ２に与えるようにするものである。
【００４４】
なお、この実施形態では、トランスＢを介して信号の授受する場合、端子Ｔ１及びＴ２に与えられた信号電圧の一部分がトランスＡの１次巻線にも印加されるが、トランスＢの１次巻線のインピーダンスはトランスＡの１次巻線のインピーダンスよりも大きく、トランスＢを介して信号の授受ができるように、端子Ｔ１及びＴ２に与えられた信号電圧がトランスＢの一次側に十分に印加されるものとする。
【００４５】
（Ｂ−２）  動作の説明
以上のような構成を有する伝送線収容回路の動作を、トランスＡを介して信号を授受する場合とトランスＢを介して信号を授受する場合とについて、図１を参照しながら説明する。
【００４６】
まず、トランスＡを介して信号を授受する場合について説明する。
【００４７】
この場合、スイッチＳＷ１の両端は不導通であり、スイッチＳＷ２の両端は導通である。
【００４８】
端子Ｔ１及びＴ２に与えられた加入者端末からの信号は、保護回路ＰＴを介してトランスＡの１次巻線に与えられ、この１次巻線に与えられた信号の電流又は電圧の変化が２次巻線に誘導されて、端子Ｔ３及びＴ４間に接続された第１の終端回路に与えられることになる。
【００４９】
ここで、スイッチＳＷ２が導通であるので、端子Ｔ１及びＴ２に与えられた信号電圧の一部分がトランスＢの１次巻線に印加されて、トランスＡの１次巻線に印加される信号電圧を減少させ、トランスＡを介して信号の授受ができなくなることを防止することができる。
【００５０】
一方、端子Ｔ３及びＴ４に与えられた第１の終端回路からの信号は、トランスＡの２次巻線に与えられ、この２次巻線に与えられた信号の電流又は電圧の変化が１次巻線に誘導されて、端子Ｔ１及びＴ２間に接続された加入者端末に与えられることになる。
【００５１】
次に、トランスＢを介して信号を授受する場合について説明する。
【００５２】
この場合、スイッチＳＷ１の両端は導通であり、スイッチＳＷ２の両端は不導通である。
【００５３】
端子Ｔ１及びＴ２に与えられた加入者端末からの信号は、保護回路ＰＴを介してトランスＢの１次巻線に与えられ、この１次巻線に与えられた信号の電流又は電圧の変化が２次巻線に誘導されて、端子Ｔ５及びＴ６間に接続された第２の終端回路に与えられることになる。
【００５４】
ここで、スイッチＳＷ２が不導通であるので、端子Ｔ１及びＴ２に与えられた信号電圧の１部分がトランスＢの１次巻線にも印加されるが、トランスＢの１次巻線のインピーダンスはトランスＡの１次巻線のインピーダンスよりも大きく、トランスＢを介して信号の授受ができるのに十分な信号電圧がトランスＢの一次側に流れるようになされている。
【００５５】
一方、端子Ｔ５及びＴ６に与えられた第２の終端回路からの信号は、トランスＢの２次巻線に与えられ、この２次巻線に与えられた信号の電流又は電圧の変化が１次巻線に誘導されて、端子Ｔ１及びＴ２間に接続された加入者端末に与えられることになる。
【００５６】
なお、スイッチＳＷ１は導通であるので、トランスＡの２次巻線に誘導される信号は、端子Ｔ３及びＴ４に接続される第１の終端回路には与えられない。
【００５７】
（Ｂ−３）  効果の説明
以上のように、第２の実施形態によれば、（１）端子Ｔ１及びＴ２に対して１次巻線が互いに直列に接続され、１次巻線又は２次巻線に与えられた信号を２次巻線又は１次巻線に誘導するトランスＡ及びＢと、（２）トランスＡを介して信号を授受する場合に、端子Ｔ１及びＴ２に与えられた信号電圧がトランスＢの１次巻線に印加されて、トランスＡの１次巻線に印加される信号電圧を減少させ、トランスＡを介して信号の授受ができなくなることを防止するスイッチＳＷ２と、（３）トランスＢを介して信号を授受する場合に、トランスＡの２次側に誘導された信号を端子Ｔ３及びＴ４に与えないスイッチＳＷ１とを有するので、保護回路ＰＴを信号の種類に関係なく共通にできると共に、伝送線側に設けないスイッチＳＷ１に高耐圧やフローティング特性などを有さない低価格なものを用いることができ、回路が小型及び低価格になる。
【００５８】
（Ｃ）  第３の実施形態
以下、本発明による伝送線収容回路を、周波数の異なる２種類の信号を伝送する伝送線を収容する伝送線収容回路に適用した第３の実施形態について、図面を参照しながら詳述する。
【００５９】
（Ｃ−１）  構成の説明
図７は、第３の実施形態の伝送線収容回路の構成を示すブロック図である。図７において、この実施形態の伝送線収容回路は、トランスＡ及びＢと、スイッチＳＷ１及びＳＷ２と、保護回路ＰＴと、端子Ｔ１〜Ｔ６とを有する。
【００６０】
まず、各構成要素の対応接続関係について説明する。端子Ｔ１は保護回路ＰＴを介してトランスＢの第１の１次巻線の一端に接続され、端子Ｔ２は保護回路ＰＴを介してトランスＢの第２の１次巻線の他端に接続される。トランスＢの第１の１次巻線の他端はトランスＡの１次巻線の一端に接続され、トランスＢの第２の１次巻線の一端はトランスＡの１次巻線の他端に接続される。また、トランスＡの２次巻線の一端は端子Ｔ３に接続され、その２次巻線の他端は端子Ｔ４に接続される。トランスＢの２次巻線の一端は端子Ｔ５に接続され、その２次巻線の他端は端子Ｔ６に接続される。さらに、トランスＡの１次巻線の一端及び他端間にはスイッチＳＷ１が接続され、トランスＢの２次巻線の一端及び他端間にはスイッチＳＷ２が接続される。
【００６１】
なお、図示は省略するが、端子Ｔ１及びＴ２間には伝送線を介して加入者端末が接続され、端子Ｔ３及びＴ４間には２種類の信号の内の一方を終端する第１の終端回路が接続され、端子Ｔ５及びＴ６間にはその他方を終端する第２の終端回路が接続されている。
【００６２】
次に、各構成要素について説明する。なお、トランスＡと保護回路ＰＴとについては、第１の実施形態の同一符号のものと同様であるので、説明は省略する。従って、以下、トランスＢとスイッチＳＷ１及びＳＷ２とについて説明する。
【００６３】
トランスＢは、同一インピーダンスの第１及び第２の１次巻線を有し、第１の１次巻線と第２の１次巻線とに与えられた信号の電流又は電圧の変化を、相互誘導作用により第１及び第２の１次巻線と絶縁された状態で２次巻線に誘導するものである。また、２次巻線に与えられた信号の電流又は電圧の変化を、相互誘導作用により２次巻線と絶縁された状態で第１及び第２の１次巻線に誘導するものである。ここで、トランスＢは、端子Ｔ５及びＴ６間に接続される第２の終端回路で授受する信号の周波数帯域に適する特性を有するものである。
【００６４】
スイッチＳＷ１は、トランスＢを介して信号を授受する場合に、トランスＡの１次巻線の一端と他端との間を導通の状態にし、端子Ｔ１及びＴ２に与えられた信号電圧の一部分がトランスＡの１次巻線に印加されて、トランスＢの第１及び第２の１次巻線に印加される信号電圧を減少させ、トランスＢを介して信号の授受ができなくなることを防止するものである。また、トランスＡを介して信号を授受する場合には、トランスＡの１次巻線の一端と他端との間を不導通の状態にし、端子Ｔ１及びＴ２に与えられた信号をトランスＢの第１及び第２の１次巻線を介してトランスＡの１次巻線に与え、かつ、トランスＡの１次巻線に誘導された信号をトランスＢの第１及び第２の１次巻線を介して端子Ｔ１及びＴ２に与えるようにするものである。
【００６５】
なお、この実施形態では、トランスＡを介して信号の授受する場合、トランスＢの第１及び第２の１次巻線を介するが、トランスＡの１次巻線のインピーダンスはトランスＢの第１及び第２の１次巻線の合成インピーダンスよりも大きく、端子Ｔ１及びＴ２に与えられた信号電圧が、トランスＡを介して信号の授受ができるように、トランスＡの一次側に十分に印加されるものとする。
【００６６】
スイッチＳＷ２は、トランスＢを介して信号を授受しない場合に、トランスＢの２次巻線の一端と他端との間を導通の状態にし、端子Ｔ５及びＴ６に与えられた信号をトランスＢの２次巻線に与えない、かつ、トランスＢの２次巻線に誘導された信号を端子Ｔ５及びＴ６に与えないものである。また、トランスＢを介して信号を授受する場合には、トランスＢの一端と他端との間を不導通の状態にし、端子Ｔ５及びＴ６に与えられた信号をトランスＢの２次巻線に与え、かつ、トランスＢの２次巻線に誘導された信号を端子Ｔ５及びＴ６に与えるものである。
【００６７】
（Ｃ−２）  動作の説明
以上のような構成を有する伝送線収容回路の動作を、トランスＡを介して信号を授受する場合とトランスＢを介して信号を授受する場合とについて、図１を参照しながら説明する。
【００６８】
まず、トランスＡを介して信号を授受する場合について説明する。
【００６９】
この場合、スイッチＳＷ１の両端は不導通であり、スイッチＳＷ２の両端は導通である。
【００７０】
端子Ｔ１及びＴ２に与えられた加入者端末からの信号は、保護回路ＰＴを介してトランスＡの１次巻線とトランスＢの第１及び第２の１次巻線とに与えられ、このトランスＡの１次巻線に与えられた信号の電流又は電圧の変化が２次巻線に誘導されて、端子Ｔ３及びＴ４間に接続された第１の終端回路に与えられることになる。
【００７１】
ここで、端子Ｔ１及びＴ２に与えられた信号電圧の一部分がトランスＢの第１及び第２の１次巻線にも印加されるが、トランスＡの１次巻線のインピーダンスはトランスＢの第１及び第２の１次巻線の合成インピーダンスよりも大きく、トランスＡを介して信号の授受ができるのに十分な信号電圧が、トランスＡの一次側に印加されるようになされている。
【００７２】
一方、端子Ｔ３及びＴ４に与えられた第１の終端回路からの信号は、トランスＡの２次巻線に与えられ、この２次巻線に与えられた信号の電流又は電圧の変化が１次巻線に誘導されて、トランスＢの第１及び第２の１次巻線を介して端子Ｔ１及びＴ２間に接続された加入者端末に与えられることになる。
【００７３】
なお、スイッチＳＷ２は導通しているので、トランスＢの２次巻線に誘導される信号は、端子Ｔ５及びＴ６に接続される第２の終端回路には与えられない。
【００７４】
次に、トランスＢを介して信号を授受する場合について説明する。
【００７５】
この場合、スイッチＳＷ１の両端は導通であり、スイッチＳＷ２の両端は不導通である。
【００７６】
端子Ｔ１及びＴ２に与えられた加入者端末からの信号は、保護回路ＰＴを介してトランスＢの第１及び第２の１次巻線に与えられ、この第１及び第２の１次巻線に与えられた信号の電流又は電圧の変化が２次巻線に誘導されて、端子Ｔ５及びＴ６間に接続された第２の終端回路に与えられることになる。
【００７７】
ここで、スイッチＳＷ１が導通であるので、端子Ｔ１及びＴ２に与えられた信号電圧の一部分がトランスＡの１次巻線に印加されて、トランスＢの１次巻線に印加される信号電圧を減少させ、トランスＢを介して信号の授受ができなくなることを防止することができる。
【００７８】
一方、端子Ｔ５及びＴ６に与えられた第２の終端回路からの信号は、トランスＢの２次巻線に与えられ、この２次巻線に与えられた信号の電流又は電圧の変化が第１及び第２の１次巻線に誘導されて、端子Ｔ１及びＴ２間に接続された加入者端末に与えられることになる。
【００７９】
（Ｃ−３）  効果の説明
以上のように、第３の実施形態によれば、（１）同一インピーダンスの第１及び第２の１次巻線を有し、この第１及び第２の１次巻線のトランスＡに接続されない側が端子Ｔ１及びＴ２に接続され、第１及び第２の１次巻線又は２次巻線に与えられた信号を２次巻線又は第１及び第２の１次巻線に誘導するトランスＢと、（２）トランスＢの第１及び第２の１次巻線間に自トランスの１次巻線が直列に接続され、１次巻線又は２次巻線に与えられた信号を２次巻線又は１次巻線に誘導するトランスＡと、（３）トランスＢを介して信号を授受する場合に、端子Ｔ１及びＴ２に与えられた信号電圧の一部分がトランスＡの１次巻線に印加されて、トランスＢの第１及び第２の１次巻線に印加される信号電圧を減少させ、トランスＢを介して信号の授受ができなくなることを防止するスイッチＳＷ１と、（４）トランスＡを介して信号を授受する場合に、トランスＢの２次側に誘導された信号を端子Ｔ５及びＴ６に与えないスイッチＳＷ２とを有するので、保護回路ＰＴを信号の種類に関係なく共通にできると共に、伝送線側に設けないスイッチＳＷ２に高耐圧やフローティング特性などを有さない低価格なものを用いることができ、回路が小型及び低価格になる。
【００８０】
また、第３の実施形態によれば、トランスＢの同一インピーダンスの第１及び第２の１次巻線間に、トランスＡの１次巻線が直列に接続されているので、第２の実施形態と比較して、端子Ｔ１及びＴ２間に対して構成が対称になり、端子Ｔ１及びＴ２に接続される伝送線間のバランスが良くなる。
【００８１】
（Ｄ）  第４の実施形態
以下、本発明による伝送線収容回路を、周波数の異なる２種類の信号を伝送する伝送線を収容する伝送線収容回路に適用した第４の実施形態について、図面を参照しながら詳述する。
【００８２】
（Ｄ−１）  構成の説明
図８は、第４の実施形態の伝送線収容回路の構成を示すブロック図である。図８において、この実施形態の伝送線収容回路は、トランスＡ及びＢと、スイッチＳＷ１〜ＳＷ３と、保護回路ＰＴと、端子Ｔ１〜Ｔ６とを有する。
【００８３】
まず、各構成要素の対応接続関係について説明する。端子Ｔ１は保護回路ＰＴを介してトランスＢの第１の１次巻線の一端に接続され、端子Ｔ２は保護回路ＰＴを介してトランスＢの第２の１次巻線の他端に接続される。トランスＢの第１の１次巻線の他端はトランスＡの１次巻線の一端に接続され、トランスＢの第２の１次巻線の一端はトランスＡの１次巻線の他端に接続される。また、トランスＡの２次巻線の一端は端子Ｔ３に接続され、その２次巻線の他端は端子Ｔ４に接続される。トランスＢの２次巻線の一端は端子Ｔ５に接続され、その２次巻線の他端は端子Ｔ６に接続される。さらに、トランスＡの２次巻線の一端及び他端間にはスイッチＳＷ１が接続され、トランスＢの第１の１次巻線の一端及び他端間にはスイッチＳＷ２が接続され、その第２の１次巻線の一端及び他端間にはスイッチＳＷ３が接続される。
【００８４】
なお、図示は省略するが、端子Ｔ１及びＴ２間には伝送線を介して加入者端末が接続され、端子Ｔ３及びＴ４間には２種類の信号の内の一方を終端する第１の終端回路が接続され、端子Ｔ５及びＴ６間にはその他方を終端する第２の終端回路が接続されている。
【００８５】
次に、各構成要素について説明する。なお、トランスＡ及びＢと保護回路ＰＴとについては、第３の実施形態の同一符号のものと同様であるので、説明は省略する。従って、以下、スイッチＳＷ１〜ＳＷ３とについて説明する。
【００８６】
スイッチＳＷ１は、トランスＡを介して信号を授受しない場合に、トランスＡの２次巻線の一端と他端との間を導通の状態にし、端子Ｔ３及びＴ４に与えられた信号をトランスＡの２次巻線に与えない、かつ、トランスＡの２次巻線に誘導された信号を端子Ｔ３及びＴ４に与えないものである。また、トランスＡを介して信号を授受する場合には、トランスＡの一端と他端との間を不導通の状態にし、端子Ｔ３及びＴ４に与えられた信号をトランスＡの２次巻線に与え、かつ、トランスＡの２次巻線に誘導された信号を端子Ｔ３及びＴ４に与えるものである。
【００８７】
スイッチＳＷ２及びＳＷ３は、トランスＡを介して信号を授受する場合に、トランスＢの第１及び第２の１次巻線の一端と他端との間を導通の状態にし、端子Ｔ１及びＴ２に与えられた信号電圧の一部分がトランスＢの第１及び第２の１次巻線に印加されて、トランスＡの一次側に印加される信号電圧を減少させ、トランスＡを介して信号の授受ができなくなることを防止するものである。また、トランスＢを介して信号を授受する場合には、トランスＢの第１及び第２の１次巻線の一端と他端との間を不導通の状態にし、端子Ｔ１及びＴ２に与えられた信号をトランスＢの１次巻線に与え、及び、トランスＢの１次巻線に誘導された信号を端子Ｔ１及びＴ２に与えるようにするものである。
【００８８】
なお、この実施形態では、トランスＢを介して信号の授受する場合、トランスＡの１次巻線を介するが、トランスＢの第１及び第２の１次巻線の合成インピーダンスはトランスＡの１次巻線のインピーダンスよりも大きく、端子Ｔ１及びＴ２に与えられた信号電圧が、トランスＢを介して信号の授受ができるように、トランスＢの一次側に十分に印加されるものとする。
【００８９】
（Ｄ−２）  動作の説明
以上のような構成を有する伝送線収容回路の動作を、トランスＡを介して信号を授受する場合とトランスＢを介して信号を授受する場合とについて、図８を参照しながら説明する。
【００９０】
まず、トランスＡを介して信号を授受する場合について説明する。
【００９１】
この場合、スイッチＳＷ１の両端は不導通であり、スイッチＳＷ２及びＳＷ３の両端は導通である。
【００９２】
端子Ｔ１及びＴ２に与えられた加入者端末からの信号は、保護回路ＰＴを介してトランスＡの１次巻線に与えられ、このトランスＡの１次巻線に与えられた信号の電流又は電圧の変化が２次巻線に誘導されて、端子Ｔ３及びＴ４間に接続された第１の終端回路に与えられることになる。
【００９３】
ここで、スイッチＳＷ２及び３が導通であるので、端子Ｔ１及びＴ２に与えられた信号電圧の一部分がトランスＢの第１及び第２の１次巻線に印加されて、トランスＡの１次巻線に印加される信号電圧を減少させ、トランスＡを介して信号の授受ができなくなることを防止することができる。
【００９４】
一方、端子Ｔ３及びＴ４に与えられた第１の終端回路からの信号は、トランスＡの２次巻線に与えられ、この２次巻線に与えられた信号の電流又は電圧の変化が１次巻線に誘導されて、端子Ｔ１及びＴ２間に接続された加入者端末に与えられることになる。
【００９５】
次に、トランスＢを介して信号を授受する場合について説明する。
【００９６】
この場合、スイッチＳＷ１の両端は導通であり、スイッチＳＷ２及びＳＷ３の両端は不導通である。
【００９７】
端子Ｔ１及びＴ２に与えられた加入者端末からの信号は、保護回路ＰＴを介してトランスＢの第１及び第２の１次巻線に与えられ、この第１及び第２の１次巻線に与えられた信号の電流又は電圧の変化が２次巻線に誘導されて、端子Ｔ５及びＴ６間に接続された第２の終端回路に与えられることになる。
【００９８】
ここで、端子Ｔ１及びＴ２に与えられた信号電圧の一部分がトランスＡの１次巻線にも印加されるが、トランスＢの第１及び第２の１次巻線の合成インピーダンスはトランスＡの１次巻線のインピーダンスよりも大きく、トランスＢを介して信号の授受ができるのに十分な信号電圧が、トランスＢの第１及び第２の一次巻線に印加されるようになされている。
【００９９】
一方、端子Ｔ５及びＴ６に与えられた第２の終端回路からの信号は、トランスＢの２次巻線に与えられ、この２次巻線に与えられた信号の電流又は電圧の変化が第１及び第２の１次巻線に誘導されて、端子Ｔ１及びＴ２間に接続された加入者端末に与えられることになる。
【０１００】
なお、スイッチＳＷ１は導通しているので、トランスＡの２次巻線に誘導される信号は、端子Ｔ３及びＴ４に接続される第１の終端回路には与えられない。
【０１０１】
（Ｄ−３）  効果の説明
以上のように、第４の実施形態によれば、（１）同一インピーダンスの第１及び第２の１次巻線を有し、この第１及び第２の１次巻線のトランスＡに接続されない側が端子Ｔ１及びＴ２に接続されたトランスＢと、（２）トランスＢの第１及び第２の１次巻線間に自トランスの１次巻線が直列に接続されたトランスＡと、（３）トランスＡを介して信号を授受する場合に、端子Ｔ１及びＴ２に与えられた信号電圧の一部分がトランスＢの第１及び第２の１次巻線に印加されて、トランスＡの１次巻線に印加される信号電圧を減少させ、トランスＡを介して信号の授受ができなくなることを防止するスイッチＳＷ２及びＳＷ３と、（４）トランスＢを介して信号を授受する場合に、トランスＡの２次側に誘導された信号を端子Ｔ３及びＴ４に与えないスイッチＳＷ１とを有するので、保護回路ＰＴを信号の種類に関係なく共通にできると共に、伝送線側に設けないスイッチＳＷ１に高耐圧やフローティング特性などを有さない低価格なものを用いることができ、回路が小型及び低価格になる。
【０１０２】
また、第４の実施形態によれば、トランスＢの同一インピーダンスの第１及び第２の１次巻線間に、トランスＡの１次巻線が直列に接続されているので、第２の実施形態と比較して、端子Ｔ１及びＴ２間に対して構成が対称になり、端子Ｔ１及びＴ２に接続される伝送線間のバランスが良くなる。
【０１０３】
（Ｅ）  他の実施形態
上記各実施形態では、周波数が異なる２種類の信号を伝送する伝送線を収容する伝送線収容回路に本発明を適用したものを示したが、周波数が異なる信号に限定することなく、また、２種類の信号に限定することなく、複数の信号を伝送する伝送線を収容する伝送線収容回路にも同様に本発明を適用できる。なお、この場合、信号の種類と同数のトランスを設け、そのトランスの１次巻線又は２次巻線側に、伝送信号を阻止制御する同様なスイッチを設ける必要がある。
【０１０４】
また、上記各実施形態では、トランスＡ及びＢを用いたものを示したが、これらのトランスは高周波用、低周波用、パルス信号用等であっても良く、さらに、同様な動作を行うものであれば、例えばフォトカプラ等の他のものを用いたものであっても良い。
【０１０５】
さらに、上記各実施形態において、トランスＡ及びＢの２次巻線側に接続されるスイッチとしては、電磁リレー、光ＭＯＳ、フォトカプラ、ＭＯＳＦＥＴ、トランジスタスイッチ、ＰＮＰＮスイッチ、サイリスタスイッチ等がある。
【０１０６】
さらにまた、上記各実施形態では、トランスの１次巻線及び２次巻線のインピーダンスがその他のトランスと比べて大きいか又は小さいかに基づいてのみ説明を進めたが、これらのインピーダンスが大きいトランスが相対的に低周波の信号を授受し、一方、これらのインピーダンスが小さいトランスが相対的に高周波の信号を授受する対応関係を有するものであっても良い。
【０１０７】
また、第３及び第４の実施形態では、トランスＢの第１及び第２の１次巻線のインピーダンスが互いに同一のものを示したが、適用する回路の仕様に応じてそれぞれ適当なインピーダンスを有するものであっても良い。
【０１０８】
さらに、第１の実施形態において、トランスＡの１次巻線及び保護回路ＰＴ間に、チョークコイルを挿入接続しても良い。
【０１０９】
さらにまた、第２の実施形態において、トランスＡ及びスイッチＳＷ２間と、スイッチＳＷ２及び保護回路ＰＴ間とに、チョークコイルを挿入接続しても良い。
【０１１０】
また、第３の実施形態において、トランスＢの第１及び第２の１次巻線と保護回路ＰＴとの間に、チョークコイルを挿入接続しても良い。
【０１１１】
さらに、第４の実施形態において、スイッチＳＷ２及び保護回路ＰＴ間と、スイッチＳＷ３及び保護回路ＰＴ間とに、チョークコイルを挿入接続しても良い。
【０１１２】
【発明の効果】
以上のように、本発明によれば、伝送線終端回路側に設けられるスイッチ手段に高耐圧やフローティング特性などの高価なものを用いる必要がなくなり、回路が低価格になる。また、２個のスイッチ手段でトランスだけを切り替え、共通伝送線対と各トランスとの間に設けられる保護回路を共通にできるので、回路が小型及び低価格になる。
【図面の簡単な説明】
【図１】第１の実施形態の伝送線収容回路の構成を示すブロック図である。
【図２】従来の伝送線収容回路の構成を示すブロック図である。
【図３】従来の伝送線収容回路において、保護回路も含めて切り替える場合の説明図である。
【図４】従来の伝送線収容回路において、切り替えスイッチを削除した場合の説明図である。
【図５】従来の伝送線収容回路において、トランスだけを切り替える場合の説明図である。
【図６】第２の実施形態の伝送線収容回路の構成を示すブロック図である。
【図７】第３の実施形態の伝送線収容回路の構成を示すブロック図である。
【図８】第４の実施形態の伝送線収容回路の構成を示すブロック図である。
【符号の説明】
Ａ、Ｂ…トランス、ＳＷ１、ＳＷ２…スイッチ、Ｔ１〜Ｔ６…端子。
【図１】
0003710298.tif 000002
【図２】
0003710298.tif 000003
【図３】
0003710298.tif 000004
【図４】
0003710298.tif 000005
【図５】
0003710298.tif 000006
【図６】
0003710298.tif 000007
【図７】
0003710298.tif 000008
【図８】
0003710298.tif 000009